(57)【要約】【課題】快適な休息と睡眠を得られるようにすべく、リラックスしやすく、入眠を促すこともできるような電動リクライニングベッドの提供。【解決手段】電動リクライニング機構によりリクライニング可能なマットレス２１と、該マットレス２１を支持する支持フレーム３１と、支持フレーム３１の長さ方向の一端に設けられたヘッドボード４１とを有する電動リクライニングベッド１１において、ヘッドボードを中空に形成するとともに、上面には第１透光板４６を取付け、側面には第２透光板４７を取付ける。そして、ヘッドボード４１内に、各透光板４６，４７を通して光を照射するヘッドボードライトを収納し、支持フレーム３１の下面に、床面を照明するフロアライトを備える。【選択図】図１
2008264020.tif 000002
【特許請求の範囲】
【請求項１】
電動リクライニング機構によりリクライニング可能なマットレスと、該マットレスの長さ方向の一端側に設けられたヘッドボードとを有する電動リクライニングベッドであって、
上記ヘッドボードが中空に形成されるとともに、上面には透光板が取付けられ、内部には、透光板を通して光を照射するヘッドボード照明体が収納された
電動リクライニングベッド。
【請求項２】
前記マットレスを支持する支持フレームの下面におけるヘッドボードと反対側の部分に、光を照射してフロアを照明するフロア照明体が取付けられた
請求項１に記載の電動リクライニングベッド。
【請求項３】
前記ヘッドボード照明体が棒状の蛍光灯であるとともに、前記フロア照明体が複数個の発光ダイオードを備えて構成されたものである
請求項１または請求項２に記載の電動リクライニングベッド。
【請求項４】
前記ヘッドボードの側面に、ヘッドボード照明体から発せられる光を透過する透光板が取付けられた
請求項１から請求項３のうちのいずれか一項に記載の電動リクライニングベッド。
【請求項５】
前記ヘッドボード照明体が、電球色の蛍光灯である
請求項１から請求項４のうちのいずれか一項に記載の電動リクライニングベッド。
【請求項６】
前記電動リクライニング機構を駆動するリクライニング動作スイッチによるマットレスのリクライニング動作に基づいて、前記ヘッドボード照明体および／またはフロア照明体の照明状態を制御する制御手段を備えた
請求項１から請求項５のうちのいずれか一項に記載の電動リクライニングベッド。
【発明の詳細な説明】
【技術分野】
【０００１】
この発明は、リラックスしやすく、入眠を促すこともできるような電動リクライニングベッドに関する。
【背景技術】
【０００２】
良質の睡眠を得ることは健康にとって大切である。このため、リラックスしやすいようにリクライニング機構を備えた電動リクライニングベッドが提案されている。電動リクライニングベッドは、人体の姿勢を楽にすることでリラックスできるようにするものであるが、リラックスには光（明るさ）も大切な要素である。
【０００３】
照明装置を備えたベッドとしては、下記特許文献１、２に開示されているようなものがある。特許文献１のベッドは、ヘッドボードから光を照射するようにしたもので、間接照明とタスク照明のいずれにも利用できるように工夫されている。特許文献２のベッドは、マットレスを支える基板の下面にライトを備えたもので、外観の向上と部屋が暗い場合の利便性を図ったものである。
【０００４】
しかし、電動リクライニングベッドにおいて照明装置を備えたものはなかった。
【特許文献１】特開２００２−３６９７２９号公報
【特許文献２】実公昭５９−３８９２９号公報
【発明の開示】
【発明が解決しようとする課題】
【０００５】
そこでこの発明は、リラックスしやすく、入眠を促すこともできるようにすることを主たる課題とする。
【課題を解決するための手段】
【０００６】
そのための手段は、電動リクライニング機構によりリクライニング可能なマットレスと、該マットレスの長さ方向の一端側に設けられたヘッドボードとを有する電動リクライニングベッドであって、上記ヘッドボードが中空に形成されるとともに、上面には透光板が取付けられ、内部には、透光板を通して光を照射するヘッドボード照明体が収納された電動リクライニングベッドである。上記のリクライニングとは、マットレスの背凭れ部分を傾斜させること、及び／又は脚側の部分を上げ下げや傾斜させることを示す。
【０００７】
使用に際しては、情況に応じて電動リクライニング機構を操作して、マットレスの姿勢を適宜調節する。そして、覚醒時は勿論のこと、テレビ等を見たりしながらリラックスするような場合や、就寝時には、適度な照度や適切な色などでヘッドボード照明体を発光させて、ヘッドボードの上面から光を照射して、情況に応じた部屋の雰囲気作りを行う。
【発明の効果】
【０００８】
以上のように、この発明によれば、電動リクライニング機構によるフィジカルな手段によってリラックスを得られることに加えて、光によるメンタルな手段によってもリラックスが得られ、これらの相乗効果により良質な睡眠を得ることが可能となる。また、ヘッドボード照明体の照明状態（照度、色、方向、点灯／消灯など）を、電動リクライニング機構による動作に基づいて変化させ、情況に応じた最適な環境を作るようにすると、より快適に使用できるベッドとすることができる。
【発明を実施するための最良の形態】
【０００９】
この発明を実施するための一形態を、以下図面を用いて説明する。  
図１は、電動リクライニングベッド１１（以下、「ベッド」という。）の機能を示す斜視図であり、この図に示すようにベッド１１は、マットレス２１と、該マットレス２１を支持する支持フレーム３１と、該支持フレーム３１の長さ方向の一端に設けられたヘッドボード４１とを有し、支持フレーム３１から床面に光が照射されるとともに、ヘッドボート４１からも光が照射される。
【００１０】
上記のマットレス２１は、支持フレーム３１に備えられた電動リクライニング機構（図示せず）によりリクライニング可能である。電動リクライニング機構は、図２にも示したように、マットレス２１の背凭れ部分２２を傾斜させる動作と、マットレス２１における人体の脚側の部分２３を上げる動作とを、それぞれ独立に、または連動して行う周知の機構で構成される。また、リクライニング機構は、有線または無線で接続された周知の操作器に設けられたスイッチ（図示せず）で動作させるように構成される。
【００１１】
上記の支持フレーム３１の外周は、３本のフレーム材３２，３２，３３で構成されている。すなわち、長手方向に延びる２本の長辺側フレーム材３２，３２と、これらの一端を連結する短辺側フレーム材３３とを有する。長辺側フレーム材３２，３２の他端は、上記のヘッドボード４１により連結される。
【００１２】
支持フレーム３１の内側には、これらを連結する連結部材（図示せず）や上記の電動リクライニング機構が備えられるとともに、下に延びる４本の脚体３４が備えられている。
【００１３】
また、支持フレーム３１を構成する上記の長辺側フレーム材３２，３２と短辺側フレーム材３３の下面には、図２、図３に示したように、フロア照明装置３５が埋め込まれている。埋め込み位置は、長辺側フレーム材３２，３２の長さ方向の中間部よりも短辺側フレーム材３３寄りの部位と、短辺側フレーム材３３の長さ方向の中間部を中心とした略全体である。
【００１４】
フロア照明装置３５は、図３に示したように、略横コ字型をなす棒状の基台３６と、同じく略横コ字型をなす棒状で、基台３６に被せる透光性を有したカバー体３７と、フロア照明体として基台３６に保持された複数個のフロアライト３８とを有し、各フレーム材３２，３２，３３の下面に形成された埋め込み溝３２ａ，３３ａ内に埋め込まれている。フロアライト３８には、発光ダイオードが使用される。カバー体３７の内面に形成された凹凸３７ａはフロアライト（発光ダイオード）３８からの光を乱反射させるためのものである。またカバー体３７の表面は断面凸レンズ状に湾曲している。
【００１５】
埋め込み溝３２ａ，３３ａの深さは、フロア照明装置３５の全体が収まる深さで、短冊状の押え板３９を各フレーム材３２，３２，３３の下面に適宜間隔をあけて固定することで、埋め込み状態を保持している。
【００１６】
上記のヘッドボード４１は、中空の長方形厚板状に形成され、長方形をなす前後２枚の平板４２，４３と、これらの四隅を厚さ方向に連結する連結板４４，４４，４５，４５とを有する。２枚の平板４２，４３については、支持フレーム３１側の平板４２を厚くして、必要な強度を得るとともに、長さ方向の端に位置する他方の平板４３をそれよりも薄いものとして、外観上のバランスを良好なものとして美感を得ている。外観の良好さは、各平板４２，４３の外側の角に設けるアールの大きさに違いを付け、厚さの厚い平板４２のアールを他方の平板４３のアールよりも大きくすることによって向上させている。
【００１７】
そして、上側に位置する左右２枚の連結板４４，４４の間には、１枚の第１透光板４６を、連結板４４，４４の上面と面一になるように固定している（図４（ｂ）参照）。一方、左右両側において上下に並ぶ連結板４４，４５の間には、内側から１枚の第２透光板４７を固定している。これら透光板４６，４７は、適宜の材料で構成されるが、防眩加工などの適宜の表面処理が施されたものであるのが好ましい。そのような表面処理をすることによって全体から均等に光が照射されることになる。
【００１８】
また、これら透光板４６，４７を通して外部に光を照射させるために、ヘッドボード４１内には、ヘッドボード照明体としてのヘッドボードライト４８が収納されている。ヘッドボードライト４８には棒状の長い蛍光灯を使用し、図４（ａ）に示したように、ヘッドボード４１の幅方向に延びるように収納する。また、ヘッドボード４１の高さ方向における位置は、中間位置よりも高い位置に設定する。蛍光灯には、暖かい光色を有し、落ち着きと安らぎのある雰囲気を作ることのできる赤みを帯びた電球色のものを使用する。
【００１９】
上記のフロア照明体としてのＬＥＤからなるフロアライト３８と、ヘッドボード照明体としての蛍光灯からなるヘッドボードライト４８は、ヘッドボード４１の支持フレーム３１側の平板４２に設けられたスイッチ４９（フロアライトスィッチ４９ａ及びヘッドボードスイッチ４９ｂ）によりＯＮ、ＯＦＦ切り換えされる（図１参照）。
【００２０】
また、上記のリクライニング機構を駆動するリクライニング動作スイッチ２４と、フロアライトスイッチ４９ａと、ヘッドボードスイッチ４９ｂは、図５のブロック図に示したように、制御条件を入力する入力器５１とともに、適宜の制御手段を介して、電動リクライニング機構２５とフロアライト３８とヘッドボードライト４８とに接続されている。
【００２１】
制御手段は、リクライニング動作スイッチ２４によるマットレス２１のリクライニング動作に基づいて、ヘッドボードライト４８とフロアライト３８の照明状態を制御するもので、ヘッドボードライト４８の照度を制御するヘッドボードライト駆動回路５２と、フロアライト３８の照度を制御するフロアライト駆動回路５３と、これらを制御すべくＣＰＵ、ＲＯＭ、ＲＡＭからなる制御部５４とを有する。
【００２２】
また、制御手段は、上記の入力器５１により、リクライニング動作スイッチと、ヘッドボードライトスイッチ及びフロアライトスイッチを独立駆動させる場合と、連動させる場合とに切り換え可能にしている。独立して駆動するようにした場合には、リクライニング動作スイッチの操作に基づく動作信号が制御部５４に入力されると、その動作信号に従って電動リクライニング機構２５が動作を行う。同様に、ヘッドボードライトスイッチ４９ａ及びフロアライトスイッチ４９ｂの操作に基づく駆動信号が制御部５４に入力されると、それぞれヘッドボードライト駆動回路５２、フロアライト駆動回路５３を介してヘッドボードライト４８とフロアライト３８が、駆動信号に応じた条件で点灯する（図１参照）。図６は、ヘッドボード４１の発光状態を示しているが、このように、ヘッドボード４１上面の第１透光板４６の上に光透過性を有する置物６１をおくと、その置物の種類や形状等によって、美麗で幻想的な雰囲気を演出することができる。
【００２３】
一方、連動するようにした場合には、入力器５１で予め入力された条件に基づいて、リクライニング動作スイッチ２４によるマットレス２１のリクライニング動作に従ってヘッドボードライト４８及びフロアライト３８の照明状態が変化する。
【００２４】
ヘッドボードライト４８及びフロアライト３８の照明状態の変化（制御の内容）は、たとえば背凭れ部分２２を起したり、人体の脚側の部分２３を上げたりすると照度が高くなり、背凭れ部分２２を倒したり、人体の脚側の部分２３を下げたりすると照度が低くなるように設定する。照度の変化は、リクライニング動作に同期して起こるようにするのではなく、適宜の時間差をもって起こるようにするのが好ましい。
【００２５】
以下、図７、図８、図９を用いて、覚醒時モード、リラックス時モード、就寝時モードのそれぞれ場合についての例を説明する。
【００２６】
覚醒時モードの場合、リクライニング動作スイッチがいかなる状態であっても明るく光るようにしたり、逆に消灯したりするように設定する。図７は、覚醒時モードにおける室内の状態を示したもので、図中、７１はシーリングライト、７２はブラケットライト、７３はテレビ又はスクリーンである。この図に示すように、シーリングライト７１もブラケットライト７２も点灯した状態では、室内全体が明るいので、ヘッドボードライト４８及びフロアライト３８の照明状態は点灯、消灯いずれの状態であってもよい。
【００２７】
リラックス時モードの場合には、リクライニング動作スイッチ２４が背凭れ部分２２を起したり、人体の脚側の部分２３を上げたりする駆動信号を出力した時に、少なくともヘッドボードライト４８を明るく光るように設定する。そして、背凭れ部分２２を倒したり、人体の脚側の部分２３を下げたりする駆動信号を出力した時に、少なくともヘッドボードライト４８の照度を落とすように設定する。図８は、リラックス時モードにおける室内の状態を例示したもので、シーリングライト７１は消灯し、ブラケットライト７２が点灯し、テレビ又はスクリーン７３に映像が映し出されている。この図に示すように薄暗い室内において、ヘッドボード４１の上面と両側面から光が照射され、床面における人体の脚側に対応する部分が設定により照明される。そして、背凭れ部分２２を倒したりする入眠動作に入ると、ヘッドボード４１から照射される光の照度が落ち、入眠導入できる。
【００２８】
就寝時モードの場合には、リクライニング動作スイッチ２４が背凭れ部分２２を倒し、人体の脚側の部分２３を下げたりする駆動信号を出力した時に、ヘッドボードライト４８の照度を覚醒時やリラックス時よりも低くし、フロアライト３８を点灯状態にする。図９は、就寝時モードにおける室内の状態を例示したもので、ブラケットライト７２のみが点灯しているだけであるので室内は暗いが、ヘッドボード４１の上面と両側面から光が照射され、床面における人体の脚側に対応する部分が照明される。ヘッドボードライト４８から透光板４６，４７を通した柔らかい光が安眠をもたらし、フロアライトからの光が、夜間に起きた時の安全を確保する。そして、起床しようとリクライニング動作スイッチを操作すると、少なくともヘッドボード４１の照明は明るくなり、覚醒を促す。
【００２９】
なお、ヘッドボードライト４８やフロアライト３８が複数の色を発光するように構成する場合には、照度のほかに色も変化可能にするとよい。
【００３０】
また、照度の変化ほか、たとえば可動する反射板を用いて光の向きを変化させて、照明の光に変化を起させることもできる。
【００３１】
以上のように、このベッド１１によれば、リクライニング動作と光の調節により、所望の状態を得ることができ、使用者に応じた快適な休息や睡眠をとることができる。
【００３２】
また、ヘッドボードライト４８には棒状の蛍光灯を用い、ヘッドボード４１の幅方向に延びるように取付けているので、１本の蛍光灯でも均等な照明が可能である。
【００３３】
この蛍光灯からの光は、ヘッドボード４１の側面からも照射されるので、仰向けで寝ているときだけではなく、横向きに寝ているときでも、光による作用を享受できる。
【００３４】
フロアライト３８には、発光ダイオードを用いているので、長期間にわたって安定した発光を得ることができて経済的であるとともに、複数色の光を照射できる発光ダイオードを用いれば、複数色の色を照射することが容易にできる。
【００３５】
しかも、フロアライト３８を備えるフロア照明装置３５は、各フレーム材３２，３３内に埋め込んだので、支持フレーム３１の下からフロアライト３８等が突出することはなく、掃除などの時に損傷させたりする不都合を回避できる。
【００３６】
この発明の構成と、上記の一形態の構成との対応において、  
この発明の請求項１における透光板は、上記の第１透光板４６に対応し、  
以下同様に、  
請求項４における透光板は、第２透光板４７に対応し、  
ヘッドボード照明体は、蛍光灯からなるヘッドボードライト４８に対応し、  
フロア照明体は、発光ダイオードからなるフロア照明体３８に対応し、  
制御手段は、制御部５４、ヘッドボードライト駆動回路５２およびフロアライト駆動回路５３に対応するも、  
この発明は上記の構成のみに限定されるものではなく、その他の形態を採用することもできる。
【００３７】
たとえば、ヘッドボード照明体やフロア照明体には、上述例以外のものを使用するもよい。
【図面の簡単な説明】
【００３８】
【図１】電動リクライニングベッドの機能を示す斜視図。
【図２】電動リクライニングベッドの側面図。
【図３】フロアライト部分の構造を示す説明図。
【図４】ヘッドボードライト部分の構造を示す説明図。
【図５】ブロック図。
【図６】使用状態を示すヘッドボード部分の斜視図。
【図７】作用状態の斜視図。
【図８】作用状態の斜視図。
【図９】作用状態の斜視図。
【符号の説明】
【００３９】
１１…電動リクライニングベッド
２１…マットレス
３１…支持フレーム
３８…フロアライト
４１…ヘッドボード
４６…第１透光板
４７…第２透光板
４８…ヘッドボードライト
５２…ヘッドボードライト駆動回路
５３…フロアライト駆動回路
５４…制御部
【図１】
2008264020.tif 000003
【図２】
2008264020.tif 000004
【図３】
2008264020.tif 000005
【図４】
2008264020.tif 000006
【図５】
2008264020.tif 000007
【図６】
2008264020.tif 000008
【図７】
2008264020.tif 000009
【図８】
2008264020.tif 000010
【図９】
2008264020.tif 000011